(57)【特許請求の範囲】
【請求項１】
背負式作業機（１）のタンク（３）の背負面側の上部に、背負バンド（２０）の上端部（２０Ａ）を取り付ける取付構造であって、
前記背負バンド（２０）の前記上端部（２０Ａ）を取り付けるための棒状部材（１４）と、
前記棒状部材（１４）が配置される凹部（９）と、を左右一対備え、
左右一対の前記棒状部材（１４，１４）は、背負面側から見てハの字状に配置され、
左右一対の前記凹部（９，９）は、ハの字の上下を逆にした逆ハの字状に延びその上部が上方に開口されていることを特徴とする背負バンドの取付構造。
【請求項２】
前記左右一対の前記棒状部材（１４，１４）は、上方側から見てハの字状に配置されていることを特徴とする請求項１記載の背負バンドの取付構造。
【請求項３】
前記背負式作業機（１）の作業に供するノズルパイプ（２１）を取り付けるためのノズルパイプ取付部（１５）が、ハの字状に配置された左右一対の前記棒状部材（１４，１４）のそれぞれの一方の端部に連設され、
左右一対の前記ノズルパイプ取付部（１５，１５）の上部には、前記ノズルパイプ（２１）をその軸線方向に沿って下方から水平に受けることが可能な受部（１６，１６）がそれぞれ設けられていることを特徴とする請求項１又は２記載の背負バンドの取付構造。
【請求項４】
前記受部（１６）と同様な形状の受部（１６）が、前記ノズルパイプ取付部（１５）の下部に設けられていることを特徴とする請求項３記載の背負バンドの取付構造。
【請求項５】
下部の前記受部（１６）は、前記凹部（９）内に収容されていることを特徴とする請求項４記載の背負バンドの取付構造。
【発明の詳細な説明】
【技術分野】
【０００１】
本発明は、農作業等に用いられる背負式噴霧機、背負式散布機等の背負式作業機に関し、特に、背負バンドを背負式作業機のタンクに取り付けるための取付構造に関する。
【背景技術】
【０００２】
従来、背負式作業機を背負うための背負バンドは左右一対あり、各背負バンドの上端部と下端部が、作業機の上部と下部にそれぞれ取り付けられる。特に、以下の特許文献１には、背負バンドの上端部をタンクの上部に取り付ける構造が記載されている。
【０００３】
この背負バンドの取付構造では、液体タンクの背負面側の上部に、上下方向に延びる凹部を左右一対形成すると共に、各凹部の左右の側面間にバーを水平に架設し、背負バンドの上端部を折り返して形成された筒部を、バーと凹部の底面との間の隙間に挿入し、筒部にピンを挿入することにより、凹部からの背負バンドの抜け止めを施す構成となっている。
【先行技術文献】
【特許文献】
【０００４】
【特許文献１】特開２００７−３８０６６号公報
【発明の概要】
【発明が解決しようとする課題】
【０００５】
しかしながら、上記背負バンドの取付構造においては、作業者が作業機を背負うと、背負バンドが捩れて体に接触するため、背負い心地が悪いという問題がある。
【０００６】
本発明は、このような課題を解決するために成されたものであり、背負い心地を向上でき、これに加えて、作業時の負荷を軽減できると共に背負時の安定性を向上でき、且つ、背負バンドの取り回しに支障がなく取り回しを容易にできる背負バンドの取付構造を提供することを目的とする。
【課題を解決するための手段】
【０００７】
本発明による背負バンドの取付構造は、背負式作業機（１）のタンク（３）の背負面側の上部に、背負バンド（２０）の上端部（２０Ａ）を取り付ける取付構造であって、背負バンド（２０）の上端部（２０Ａ）を取り付けるための棒状部材（１４）と、棒状部材（１４）が配置される凹部（９）と、を左右一対備え、左右一対の棒状部材（１４，１４）は、背負面側から見てハの字状に配置され、左右一対の凹部（９，９）は、ハの字の上下を逆にした逆ハの字状に延びその上部が上方に開口されていることを特徴としている。
【０００８】
このような背負バンドの取付構造によれば、タンク（３）の背負面側の上部に、左右一対の凹部（９，９）が、背負面側から見てハの字の上下を逆にした逆ハの字状に延びるように設けられ、この左右一対の凹部（９，９）に、背負バンド（２０）の上端部（２０Ａ）を取り付けるための左右一対の棒状部材（１４，１４）が、背負面側から見てハの字状に配置されるため、当該棒状部材（１４）が作業者の肩の傾斜とほぼ平行になり、背負バンド（２０）を上下方向に対して左右斜め方向に引き出し、そのまま肩の傾斜に沿うように掛けることができる。このため、背負バンド（２０）が捩れず、背負い心地を向上できる。また、このように、背負バンド（２０）を肩の傾斜に沿うように引き出すことができるため、より体にフィットさせることができ、作業時の負荷を軽減できると共に、重心を背中に近づけることができ背負時の安定性を向上できる。加えて、棒状部材（１４）が配置される凹部（９）の上部が上方に開口されているため、背負バンド（２０）の取り回しに支障がなく取り回しを容易にできる。
【０００９】
ここで、左右一対の棒状部材（１４，１４）は、上方側から見てハの字状に配置されていることを特徴としている。また、背負式作業機（１）の作業に供するノズルパイプ（２１）を取り付けるためのノズルパイプ取付部（１５）が、ハの字状に配置された左右一対の棒状部材（１４，１４）のそれぞれの一方の端部に連設され、左右一対のノズルパイプ取付部（１５，１５）の上部には、ノズルパイプ（２１）をその軸線方向に沿って下方から水平に受けることが可能な受部（１６，１６）がそれぞれ設けられていると、ノズルパイプ（２１）を水平に受けることができ、安定して保持できる。
【００１０】
また、受部（１６）と同様な形状の受部（１６）が、ノズルパイプ取付部（１５）の下部に設けられているのが好ましい。このような構成を採用した場合、棒状部材（１４）及び上下に受部（１６，１６）が設けられたノズルパイプ取付部（１５）を有する部品（１０）を、左右に線対称に配置することにより、例えば、左の部品（１０）では下部の受部（１６）であったものが右の部品（１０）では上部の受部（１６）となり、左右の部品（１０，１０）の上部の受部（１６，１６）によって、ノズルパイプ（２１）を水平に受けることができる。すなわち、左右の部品（１０，ｌ０）を共通部品とすることができ、コストを低減できる。
【００１１】
また、下部の受部（１６）は、凹部（９）内に収容されていると、背負時に下部の受部（１６）が作業者の背中や肩に当たることを回避でき、背負い心地を一層向上できる。
【発明の効果】
【００１２】
このように本発明によれば、背負い心地を向上でき、これに加えて、作業時の負荷を軽減できると共に背負時の安定性を向上でき、且つ、背負バンドの取り回しに支障がなく取り回しを容易にできる背負バンドの取付構造を提供できる。
【図面の簡単な説明】
【００１３】
【図１】本発明のバンド取付構造が適用された背負式作業機を示す側面図である。
【図２】図１に示す背負式作業機の上部の正面図である。
【図３】図１に示す背負式作業機の上部の正面斜視図である。
【図４】図１に示す背負式作業機の要部の拡大図である。
【図５】図１〜図４中の背負バンド吊り金具を示す斜視図である。
【図６】図５のVI-VI矢視図である。
【発明を実施するための形態】
【００１４】
以下、本発明に係る背負バンドの取付構造の好適な実施形態について、添付図面を参照しながら説明する。以下の説明において、上下、前後、左右等の方向を表す語は、作業者が背負式作業機を背負って直立した状態を基準とし、作業者にとり前方を「前」と定める。
【００１５】
図１は、本発明のバンド取付構造が適用された背負式作業機を示す側面図、図２は、背負式作業機の上部の正面図、図３は、背負式作業機の上部の正面斜視図、図４は、背負式作業機の要部の拡大図、図５は、背負バンド吊り金具を示す斜視図、図６は、図５のVI-VI矢視図である。背負式作業機は、ここでは、背負式動力噴霧機１であり、作業者が、架台２及び薬液タンク３等を背負いながら、薬液タンク３内に貯留された薬液を噴霧するためのものである。
【００１６】
図１に示すように、背負式動力噴霧機１は、架台２上に、薬液タンク３を搭載すると共に、エンジン４、エンジン４の燃料を貯留する燃料タンク５、エンジン４により駆動されるポンプ６等を備える。
【００１７】
この背負式動力噴霧機１では、薬液タンク３内の薬液が、ポンプ６の駆動による圧力によって、ポンプ６の吐出口に接続されたホース、このホースに接続されたノズルパイプを介して、ノズルパイプ先端から噴霧されるようになっている。なお、ここでは、ホース、ノズルパイプ、及び、左右一対の背負バンドは取り外されている。
【００１８】
背負式動力噴霧機１では、架台２の前面側の上部（図示左側の上部）に設けられた軸部７に対して薬液タンク３の前面側の下部（図示左側の下部）が回動可能に取り付けられており、これにより、架台２と薬液タンク３とは相対的な回動が可能とされている。すなわち、薬液タンク３は、架台２に対して前傾可能な所謂スイングタンクとされている。
【００１９】
図２及び図３に示すように、薬液タンク３の前面上部で右側寄りと左側寄りの位置のそれぞれには、背負バンド２０の上端部２０Ａ（図３参照）を取り付けるための上部バンド取付部８が設けられている。上部バンド取付部８は、薬液タンク３の前面上部に形成された凹部９と、凹部９に配置された背負バンド吊り金具１０と、を備える。
【００２０】
図５及び図６に示すように、背負バンド吊り金具１０は、長方形状を成し平板状に構成された基部１１と、基部１１の長手方向の両端部に直交するようにそれぞれ立設された平板状の支持部１２，１３と、支持部１２，１３の内側の対向する面に両端部がそれぞれ連設されて水平に支持された棒状部材１４と、を備える。
【００２１】
棒状部材１４は、背負バンド２０の上端部２０Ａを取り付けるためのものであり、この棒状部材１４の一方（図示左側）の端部を支持する支持部１２のうちの前側の部分は、本機を置いたときに上記ノズルパイプ２１（図２の２点鎖線参照）を取り付けるためのノズルパイプ取付部１５となっている。
【００２２】
ノズルパイプ取付部１５は、他方（図示右側）の支持部１３及び棒状部材１４より前側（図６の紙面手前側）に突出した部分であり、上下方向に延在する形状を呈している。そして、ノズルパイプ取付部１５の上部には、側面視Ｕ字状に下方に切り込むように凹設された受部１６が設けられる。受部１６のＵ字状を成す面１６ａは、ノズルパイプ２１を受けるためのものであり、図６に示すように、外側から内側（図示左側から図示右側）に行くに従い、側面視のＵ字が徐々に拡大していくように斜めに傾斜する傾斜面となっている。この傾斜面１６ａの傾斜については後述する。
【００２３】
図５及び図６に示すように、ノズルパイプ取付部１５は上下対称とされており、上記受部１６と同様な形状の受部１６が、ノズルパイプ取付部１５の下部にも設けられている。すなわち、ノズルパイプ取付部１５の下部には、側面視逆Ｕ字状に上方に切り込むように凹設された受部１６が設けられ、受部１６の逆Ｕ字状を成す面１６ａは、図６に示すように、外側から内側（図示左側から図示右側）に行くに従い、側面視の逆Ｕ字が徐々に拡大していくように斜めに傾斜する傾斜面となっている。
【００２４】
このような背負バンド吊り金具１０が配置される凹部９は、図２に示すように、背負面側から見て、ハの字の上下を逆にした逆ハの字状の形状を成すように左右対称に一対が設けられる。この左右一対の凹部９、９はそれぞれ、図３及び図４に示すように、逆ハの字に沿って上部から下部に行くに従い、徐々に抉れの程度が深くなる傾斜底部９ａを有する。また、凹部９の上部は、背負バンド２０の上端部２０Ａを上方から通すことが可能なように、図２〜図４に示すように、凹部がそのまま斜め上方に延び上方に開口されている。
【００２５】
このような薬液タンク３の凹部９に、前述した背負バンド吊り金具１０が配置される。具体的には、図５及び図６に示す背負バンド吊り金具１０が、背負面側から見て左側の凹部９に対応するように左右方向に傾けられて配置され、右側の凹部９に対しては、左側の背負バンド吊り金具１０を１８０°回転した状態の右側の背負バンド吊り金具１０が配置される。
【００２６】
さらに、左右一対の背負バンド吊り金具１０，１０は、棒状部材１４の軸心を回転軸線として、その上部の受部１６を前方に所定に回転し前傾した状態とされる（図３の矢印参照）。
【００２７】
詳しくは、左側の背負バンド吊り金具１０は、回転により前傾した基部１１が、左側の凹部９の傾斜底部９ａに平行となるように埋設される（図４参照）と共に、ノズルパイプ取付部１５を含む左側の支持部１２が、左側の凹部９の左側面に当接し、且つ、その右側の支持部１３が、左側の凹部９の右側面に当接した状態とされる。この状態で、上部の受部１６は、前傾により左側の凹部９の左側面から外方に突出し、下部の受部１６は、凹部９内に収容される。
【００２８】
また、右側の背負バンド吊り金具１０も同様に、回転により前傾した基部１１が、右側の凹部９の傾斜底部９ａに平行となるように埋設されると共に、ノズルパイプ取付部１５を含む右側の支持部１２が、右側の凹部９の右側面に当接し、且つ、その左側の支持部１３が、右側の凹部９の左側面に当接した状態とされる。この状態で、上部の受部１６は、前傾により右側の凹部９の右側面から外方に突出し、下部の受部１６は、凹部９内に収容される。
【００２９】
このような背負バンド吊り金具１０は、薬液タンク３をブロー成形する際に、その基部１１がインサートされ、薬液タンク３と一体成形される。
【００３０】
そして、このようにして成形された凹部９及び背負バンド吊り金具１０を備えた左右一対の上部バンド取付部８，８は、図２に示すように、その棒状部材１４，１４が、背負面側から見てハの字状に配置されると共に、その凹部９，９が、逆ハの字状に配置される。また、左右一対の背負バンド吊り金具１０，１０は、左右線対称に配置される。
【００３１】
このような上部バンド取付部８に、背負バンド２０の上端部２０Ａを取り付ける際には、図３に示すように、背負バンド２０の上端部である筒部２０Ａを、矢印のように、凹部９の上部の開口から下方に通して棒状部材１４をくぐらせ、棒状部材１４をくぐらせた筒部２０Ａにピン２２を通せば良い。
【００３２】
なお、図示は省略しているが、架台２の背負面側の下部の右側寄りと左側寄りの位置のそれぞれには、背負バンド２０の下端部を取り付けるための下部バンド取付部が設けられており、背負バンド２０の上端部（筒部）２０Ａが上部バンド取付部８に取り付けられると共に、背負バンド２０の下端部が下部バンド取付部に取り付けられ、背負バンド２０が左右一対取り付けられることで、背負バンド２０，２０を作業者の腕に通し背負式動力噴霧機１を背負うことができる。
【００３３】
このような背負式動力噴霧機１において、背負時にあっては、薬液タンク３の架台２に対する回動により、薬液タンク３が背中にフィットし、優れた背負い心地や快適な作業性を与えることができる。
【００３４】
特に、本実施形態の背負式動力噴霧機１においては、薬液タンク３の背負面側の上部に、左右一対の凹部９，９が、背負面側から見てハの字の上下を逆にした逆ハの字状に延びるように設けられ、この左右一対の凹部９，９に、背負バンド２０，２０の上端部２０Ａ，２０Ａを取り付けるための左右一対の棒状部材１４，１４が、背負面側から見てハの字状に配置されるため、当該棒状部材１４が作業者の肩の傾斜とほぼ平行になり、背負バンド２０を上下方向に対して左右斜め方向に引き出し、そのまま肩の傾斜に沿うように掛けることができる。このため、背負バンド２０が捩れず、背負い心地を向上できる。
【００３５】
また、このように、背負バンド２０を肩の傾斜に沿うように引き出すことができるため、より体にフィットさせることができ、作業時の負荷を軽減できると共に、重心を背中に近づけることができ背負時の安定性を向上できる。
【００３６】
加えて、棒状部材１４が配置される凹部９の上部が上方に開口されているため、背負バンド２０の取り回しに支障がなく取り回しを容易にできる。
【００３７】
また、本実施形態の背負式動力噴霧機１によれば、以下の作用・効果も奏する。左右一対の背負バンド吊り金具１０，１０では、ノズルパイプ取付部１５の上部の受部１６のＵ字状を成す面が、外側から内側に行くに従い、Ｕ字が徐々に拡大していくように斜めに傾斜する傾斜面１６ａになっている（図６参照）と共に、この左右一対の背負バンド吊り金具１０，１０が、背負面側から見て、逆ハの字状を成すように斜めに配置されているため、前傾する左右一対の上部の受部１６，１６の傾斜面１６ａ，１６ａのうち、ノズルパイプ２１が載置される部分（ノズルパイプ２１を載置したときの当該ノズルパイプ２１の鉛直下方の部分）は、左右方向に沿って水平となっている。すなわち、左右一対のノズルパイプ取付部１５，１５の上部には、ノズルパイプ２１をその軸線方向に沿って下方から水平に受けることが可能な受部１６，１６がそれぞれ設けられており、従って、ノズルパイプ２１を水平に受けることができ、安定して保持できる。
【００３８】
また、上部の受部１６と同様な形状の受部が、ノズルパイプ取付部１５の下部に設けられているため、ノズルパイプ取付部１５を有する部品である背負バンド吊り金具１０を、左右に線対称に配置することにより、背負面側から見て、左側の背負バンド吊り金具１０では下部の受部１６であったものが右側の背負バンド吊り金具１０では上部の受部１６となり、左右の背負バンド吊り金具１０，１０の上部の受部１６、１６によって、ノズルパイプ２１を水平に受けることができる。すなわち、左右の背負バンド吊り金具１０，１０を共通部品とすることができ、コストを低減できる。
【００３９】
また、下部の受部１６が凹部９内に収容されているため、背負時に下部の受部１６が作業者の背中や肩に当たることを回避でき、背負い心地を一層向上できる。
【００４０】
以上、本発明をその実施形態に基づき具体的に説明したが、本発明は上記実施形態に限定されるものではなく、例えば、上記実施形態においては、特に好ましいとして、薬液タンク３が架台２に対して前傾可能なスイングタンクに対する適用を述べているが、薬液タンク３が架台２に対して固定され前傾しないタンクに対しても適用可能である。
【００４１】
また、上記実施形態においては、薬液を噴霧するための背負式動力噴霧機に対する適用を述べているが、例えば、粉末状の薬剤を散布するための背負式動力散布機等の背負式動力作業機に対して適用可能であり、さらには、背負式手動式の噴霧機や散布機等の作業機に対しても適用可能であり、要は、薬液や薬剤等を収容するタンク及びこれに取り付けられる背負バンドを備えた背負式作業機に対して適用できる。
【符号の説明】
【００４２】
１…背負式動力噴霧機（背負式作業機）、３…薬液タンク（タンク）、９…凹部、１４…棒状部材、１５…ノズルパイプ取付部、１６…受部、２０…背負バンド、２０Ａ…上端部、２１…ノズルパイプ。
【図１】
0006324302.tif 000002
【図２】
0006324302.tif 000003
【図３】
0006324302.tif 000004
【図４】
0006324302.tif 000005
【図５】
0006324302.tif 000006
【図６】
0006324302.tif 000007